(57)【要約】      （修正有）【課題】絵画用パネルをその上で描画しやすい角度に支持することができ、携帯も容易で、低コストで生産することができる絵画用パネル・画板支持具を提供する。【解決手段】略長方形の板状部材からなる絵画用パネル・画板支持具１０であって、１辺に、絵画用パネルのフレーム２０に接した状態で梁２１を挟持する切り欠け部１１を備え、連結して自立する角度を調節する角度調節治具を備える。絵画用パネル・画板支持具によって角度調節可能に支持される、絵画用画板と組み合わせて使用する。【選択図】図２
0003209762.tif 000002
【実用新案登録請求の範囲】
【請求項１】
略長方形の板状部材からからなる絵画用パネル・画板支持具であって、
その１辺に、絵画用パネルのフレームを挟持する切り欠け部を備えていること
を特徴とする絵画用パネル・画板支持具。
【請求項２】
請求項１に記載の絵画用パネル・画板支持具において、
前記絵画用パネル・画板支持具が、
前記絵画用パネル・画板支持具と連結して自立する角度を調節する角度調節治具を備えていることを特徴とする絵画用パネル・画板支持具。
【請求項３】
請求項１乃至請求項２のいずれか１項に記載の絵画用パネル・画板支持具であって、
前記絵画用パネル・画板支持具によって角度調節可能に支持される、絵画用紙を描画時に支持する絵画用画板と組み合わせて使用することを特徴とする絵画用パネル・画板支持具。
【請求項４】
請求項３に記載の絵画用パネル・画板支持具において、
前記絵画用画板が、描画時に下側となる１辺に絵画用紙滑り落ち防止用治具を備えていることを特徴とする絵画用パネル・画板支持具。
【考案の詳細な説明】
【技術分野】
【０００１】
本考案は、絵画用パネルや画板を描画しやすい角度に調節して支持する、絵画用パネル・画板支持具に関する。
【背景技術】
【０００２】
油彩画等の絵画を描くときに、長方形の板面の周縁部をフレームで補強した絵画用パネルが用いられることが多い。絵画を描く際に、平面上に絵画用パネルを平たく置いておくと、描画対象の上下方向が間延びした状態で描かれてしまうことがある。また、水平に置かれた絵画用パネルに絵画を描くと、使用者の体位に負担がかかり、目の疲れや肩こりなどの生体的ストレスが生じることも多い。そこで、絵画を描く際には、絵画パネルを適切な角度に保持することができる画架（イーゼル）が用いられてきた。しかし、絵画を描く際には、絵画用パネルとともに絵具や筆などを収納する道具箱を携帯しなければならず、その上大きくてかさばる画架を携帯することは使用者の負担が大きく、画架自体の価格も決して安価ではないという問題があった。また、スケッチの際には画用紙やスケッチブックなどを使用するが、パネルを用いずスケッチだけをする場合に、大きくてかさばる画架を携帯するのは不便であるという問題もあった。
【０００３】
そこで、このような問題を解決するために、連結筒に連結芯を通して連結された開閉可能な前方平板と後方平板との２枚の平板を骨格とする卓上イ−ゼルが知られている（特許文献１）。
【先行技術文献】
【特許文献】
【０００４】
【特許文献１】特開２００４−０７３４４１
【考案の概要】
【考案が解決しようとする課題】
【０００５】
しかし、上述した従来の画架では、平板により絵画用パネルを支持する構造のため、十分に小型化することができず、構造も複雑で製造コストも十分に削減することができなかった。
【０００６】
本考案はこのような事情に鑑みてなされたものであり、小型軽量で携帯に容易であり、フレームを備えた絵画用パネルの角度を適切に調節することができ、構造が簡単で製造コストがあまりかからず安価に提供することができ、また、画用紙やスケッチブックを支持する際に手軽に持ち歩くことができる絵画用パネル・画板支持具を得ることを目的とする。
【課題を解決するための手段】
【０００７】
このような目的に応えるために本考案（請求項１記載の考案）に係る絵画用パネル・画板支持具は、略長方形の板状部材からからなる絵画用パネル・画板支持具であって、その１辺に、絵画用パネルのフレームを挟持する切り欠け部を備えていることを特徴とする。
【０００８】
このように構成することにより、絵画用パネル・画板支持具は、絵画用パネルのフレーム内の梁を挟持して、絵画用パネルを斜めに立てることかできるので、画架に比べてはるかに小さく携帯が容易であるという利点がある。
【０００９】
さらに、単純な構造で、部材の数が少なく、サイズも小さいので、製造コストがあまりかからず、安価に提供することができる。
【００１０】
本考案（請求項２記載の考案）に係る絵画用パネル・画板支持具は、請求項１に記載の絵画用パネル・画板支持具において、前記絵画用パネル・画板支持具が、前記絵画用パネル・画板支持具と連結して自立する角度を調節する角度調節治具を備えていることを特徴とする。
【００１１】
このように構成することにより、前記絵画用パネル・画板支持具の自立する角度を調節することができるので、支持された絵画用パネルを使用者が描画しやすい角度に調節することができるという利点がある。
【００１２】
本考案（請求項３記載の考案）に係る絵画用パネル・画板支持具は、請求項１乃至請求項２のいずれか１項に記載の絵画用パネル・画板支持具であって、前記絵画用パネル・画板支持具によって角度調節可能に支持される、絵画用紙を描画時に支持する絵画用画板と組み合わせて使用することを特徴とする。
【００１３】
このように構成することにより、使用者が絵画用パネルを使用せずにスケッチなど行う際に、スケッチ用の描画用紙を使用者が描画しやすい角度に調節することができるという利点がある。
【００１４】
本考案（請求項４記載の考案）に係る絵画用パネル支持具は、  請求項３に記載の絵画用パネル・画板支持具において、前記絵画用画板が、描画時に下側となる１辺に絵画用紙滑り落ち防止用治具を備えていることを特徴とする。
【００１５】
このように構成することにより、使用者が絵画用パネルを使用せずにスケッチなど行う際に、スケッチ用の描画用紙が滑り落ちないようにすることができるという利点がある。
【考案の効果】
【００１６】
以上説明したように本考案に係る遮絵画用パネル・画板支持具によれば、画架に比べてはるかに小さく、容易に携帯することができるという利点がある。携帯に便利で、安価に提供することができるという利点がある。
【００１７】
特に、本考案によれば、部材の数が少なく、サイズも小さいので、製造コストがあまりかからず、安価に提供することができるという利点がある。
【００１８】
また、本考案によれば、絵画用パネルを絵画を描くのに適切な角度に調節して支持することができるという利点がある。
【００１９】
さらに、本考案によれば、画板上に描画用紙やスケッチブックを載置して描画を行う際にも、描画用紙やスケッチブックが滑り落ちないようにすることもできるという利点がある。
【図面の簡単な説明】
【００２０】
【図１】本考案に係る絵画用パネル・画板支持具の一実施形態を示し、絵画用パネル支持具の正面図である。
【図２】図１の絵画用パネル・画板支持具が絵画用パネルを支持している状態の下方からの斜視図である。
【図３】図２の状態の側面図である。
【図４】図１の絵画用パネル・画板支持具が梁を挟持せずに絵画用パネルを支持している状態の下方からの斜視図である。
【図５】本考案に係る絵画用パネル・画板支持具の他の実施形態を示し、絵画用パネル支持具及び角度調節治具の正面図である。
【図６】図５の角度調節治具を装着した絵画用パネル・画板支持具の側面図である。
【図７】図６の絵画用パネル・画板支持具が絵画用パネルを支持している状態の側面図である。
【図８】本考案に係る絵画用パネル・画板支持具の他の実施形態を示し、絵画用画板とアングルの斜視図である。
【図９】図８の絵画用画板を、角度調節治具を装着した絵画用パネル・画板支持具で指示した状態の側面図である。
【考案を実施するための形態】
【００２１】
図１ないし図４は本考案に係る絵画用パネル・画板支持具の一実施形態を示すものである。
【００２２】
図１において、符号１０は、安価に提供することができ、携帯に便利で、絵画用パネルを絵画を描くのに適切な角度に調節して支持するための絵画用パネル・画板支持具であり、略長方形の板状体からなり、その１辺に切り欠け部１１を備える。
【００２３】
図２は図１の、絵画用パネル・画板支持具１０によって絵画用パネルを支持した状態の下方からの斜視図で、絵画用パネル・画板支持具１０はフレーム２０に接した状態で切り欠け部１１が絵画用パネルの梁２１を挟持して、絵画用パネルを下方から支えている。
【００２４】
図３は図２の、絵画用パネル・画板支持具１０によって絵画用パネルを支持した状態の側面図で、絵画用パネルは、卓上に平置きされるのではなく、本考案に係る絵画用パネル・画板支持具１０によって、描画に適した角度になるよう下方から支持されている。
【００２５】
図４は、絵画用パネル・画板支持具１０によって絵画用パネルを支持した状態の下方からの斜視図で、絵画用パネルの梁のない辺付近に本考案に係る絵画用パネル・画板支持具１０によっても、描画に適した角度に支持されうる状態を示す。
【００２６】
図５ないし図７は、本考案に係る絵画用パネル・画板支持具の第二の実施形態を示すものであり、絵画用パネル・画板支持具が、前記絵画用パネル・画板支持具と連結して自立し自立角度を調節する角度調節治具と同時に使用される形態を示す。
【００２７】
図５は、略長方形で切り欠け部１３を備えた絵画用パネル・画板支持具１２に紐通し孔１４が設けられ、略長方形の角度調節治具１５に紐通し孔１６が設けられ、紐１７に紐調節具１８と紐ストッパー１９が取り付けられた状態を示す。紐調節具１８は、内部に紐１７を通し、所定の長さに調節して弾性部材で紐１７を押さえて、紐１７からなる輪の長さを調節することができるように構成されている。
【００２８】
図６は、絵画用パネル・画板支持具１２に角度調節治具１５を取り付けた状態を示す。紐１７の略中央部には紐ストッパー１９が取りつけられ、紐ストッパー１９の外径は絵画用パネル・画板支持具１２に設けられた紐通し孔１３の幅より大きく、紐通し孔１３から抜け落ちないように構成する。紐１７の両端を角度調節治具１５に設けられた紐通し孔１６を貫通させ、紐調節具１８に通し、紐調節具１８で押さえる紐１７の位置を調節することにより、角度調節治具１５に絵画用パネル・画板支持具１２が凭れることによって絵画用パネル・画板支持具１２が自立し、紐１７の長さを調節することで、角度調節治具１５に絵画用パネル・画板支持具１２が凭れる角度が変わるので、絵画用パネル・画板支持具１２が自立する角度を変えることができる。
【００２９】
図７は図６において自立した絵画用パネル・画板支持具１２が、絵画用パネルを支持する状態を示す。絵画用パネル・画板支持具１２の自立する角度を調節することにより、絵画用パネルは、描画に適した角度になるよう下方から支持されている。
【００３０】
図８は、本考案に係る絵画用パネル・画板支持具の第三の実施形態を示す。略長方形の画板３０に引っかけアングル挿入孔３１が設けられ、引っかけアングル３２は、略長方形の板状体が断面がL字型になるように成形されている。受け止めアングル３３は、画板３０の使用時に下部となる辺に装着されるもので、略長方形の板状体が断面がコ字型になるように成形されている。受け止めアングル３３で、画板３０の使用時に下部となる辺と画用紙受けアングルを挟持する。画用紙受けアングル３４は、略長方形の板状体が断面がL字型になるように成形されている。
【００３１】
図９は、図６の状態の絵画用パネル・画板支持具１２によって、図８の画板３０が支持された状態を示す。引っかけアングル３２の１辺を引っかけアングル挿入孔３１を貫通させ、その貫通した部分を自立した絵画用パネル・画板支持具１２の上部に凭れさせることにより、画板３０は描画に適切な角度に調節して支持される。画板３０の使用時に下部となる辺と画用紙受けアングル３４を受け止めアングル３３のコ字内側に挿入し、画用紙受けアングル３４が画板３０から凸出するようにすることにより、画板３０上に載置した画用紙等は下に滑り落ちることなく、画板３０上に安定した状態で載置される。
【００３２】
なお、本考案は上述した実施の形態で説明した構造には限定されず、各部の形状、構造等を適宜変形、変更し得ることはいうまでもない。
【００３３】
絵画用パネル・画板支持具１２パネルに紐通し孔を二カ所設け、紐１７をその２カ所の紐通し孔を貫通させることにより、紐ストッパー１９は不要となり、また、角度調節治具１５に紐通し孔を二カ所設け、紐１７の長さを調節する際には紐１７の両端を縛る場所を調節することで、絵画用パネル・画板支持具１２の自立する角度を調節することもできる。
【００３４】
また、画用紙受けアングル３４の、画板面から凸出した部分の一部に凸出した板状片と略直角に爪状片を設け、描画用紙の滑り落ち防止効果を高めることができるように構成することもでき、また、同様の構造を絵画用パネル・画板支持具１２の使用時に下方となる辺に取り付けることにより、小さめの描画用紙用の画板として使用することもできる。
【００３５】
さらに画板を断面クランク型に成型し、使用時に上部となる辺を画板の描画用紙載置面の裏側方向に屈曲させ、使用時に下部となる辺を画板の描画用紙載置面側に屈曲させることにより、画板上部を絵画用パネル・画板支持具１２に凭れさえて支持し、画板下部においては描画用紙の滑り落ちを防止する構造とすることもできる。勿論、これらに限定されないことも言うまでもない。
【産業上の利用可能性】
【００３６】
本考案の絵画用パネル支持具及び画板は、描画の際に用いられるだけでなく、スマートフォンやタブレット型端末による動画視聴等の際にも使用することができる。これらもまた本考案の権利範囲である。
【符号の説明】
【００３７】
１０    絵画用パネル・画板支持具
１１    切り欠け部
１２    絵画用パネル・画板支持具
１３    切り欠け部
１４    紐通し孔
１５    角度調節治具
１６    紐通し孔
１７    紐
１８    紐調節具
１９    紐ストッパー
２０    フレーム
２１    梁
２２    パネル天板
３０    画板
３１    引っかけアングル挿入孔
３２    引っかけアングル
３３    受け止めアングル
３４    画用紙受けアングル
【図１】
0003209762.tif 000003
【図２】
0003209762.tif 000004
【図３】
0003209762.tif 000005
【図４】
0003209762.tif 000006
【図５】
0003209762.tif 000007
【図６】
0003209762.tif 000008
【図７】
0003209762.tif 000009
【図８】
0003209762.tif 000010
【図９】
0003209762.tif 000011